【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
空間パラメータに基づいてモノラルダウンミクス信号から左信号及び右信号を生成するための、パラメトリックステレオアップミクス装置において、前記パラメトリックステレオアップミクス装置は、前記空間パラメータから導出される予測係数を用いてスケーリングされた前記モノラルダウンミクス信号に基づいて前記左信号と前記右信号との差を有する差分信号を予測するための手段と、前記モノラルダウンミクス信号と前記差分信号との合計及び差分に基づいて前記左信号及び前記右信号を導出するための算術手段と、を有することを特徴とする、パラメトリックステレオアップミクス装置。
【請求項２】
前記予測係数は、前記差分信号に対する前記ダウンミクス信号の波形マッチングに基づく、請求項１に記載のパラメトリックステレオアップミクス装置。
【請求項３】
前記予測係数は、前記空間パラメータの関数として、
【数１】
2011522472.tif 000001
により与えられ、ここでｉｉｄ、ｉｐｄ及びｉｃｃは空間パラメータであり、ｉｉｄはチャネル間強度差であり、ｉｐｄはチャネル間位相差であり、ｉｃｃはチャネル間コヒーレンスである、請求項２に記載のパラメトリックステレオアップミクス装置。
【請求項４】
前記差分信号を予測するための手段は、スケーリングされた非相関モノラルダウンミクス信号を加算することにより前記差分信号を拡張するように構成された、請求項１乃至３のいずれか一項に記載のパラメトリックステレオアップミクス装置。
【請求項５】
前記非相関モノラルダウンミクスは、前記モノラルダウンミクス信号のフィルタリングにより得られる、請求項４に記載のパラメトリックステレオアップミクス装置。
【請求項６】
前記非相関モノラルダウンミクスに適用されるスケーリング因子は、予測エネルギー損失を補償するように設定される、請求項４に記載のパラメトリックステレオアップミクス装置。
【請求項７】
前記非相関モノラルダウンミクスに適用されるスケーリング因子は、前記空間パラメータの関数として、
【数２】
2011522472.tif 000002
により与えられ、ここでｉｉｄ、ｉｐｄ及びｉｃｃは空間パラメータであり、ｉｉｄはチャネル間強度差であり、ｉｐｄはチャネル間位相差であり、ｉｃｃはチャネル間コヒーレンスであり、αは前記予測係数である、請求項６に記載のパラメトリックステレオアップミクス装置。
【請求項８】
前記パラメトリックステレオアップミクスは、付加的な入力として前記差分信号についての予測残留信号を持ち、前記算術手段は、前記モノラルダウンミクス信号、前記差分信号及び前記差分信号についての前記予測残留信号に基づいて、前記左信号及び前記右信号を導出するように構成された、請求項１乃至７のいずれか一項に記載のパラメトリックステレオアップミクス装置。
【請求項９】
入力ビットストリームをモノラルビットストリームとパラメータビットストリームとに分割するための多重分離手段と、前記モノラルビットストリームをモノラルダウンミクス信号にデコードするためのモノラルデコード手段と、前記パラメータビットストリームを空間パラメータにデコードするためのパラメータデコード手段と、前記空間パラメータに基づいて前記モノラルダウンミクス信号から左信号及び右信号を生成するためのパラメトリックステレオアップミクス手段と、を有するパラメトリックステレオデコーダであって、前記パラメトリックステレオデコーダは更に、請求項１乃至７のいずれか一項に記載のパラメトリックステレオアップミクス装置を有する、パラメトリックステレオデコーダ。
【請求項１０】
入力ビットストリームをモノラルビットストリームとパラメータビットストリームとに分割するための多重分離手段と、前記モノラルビットストリームをモノラルダウンミクス信号にデコードするためのモノラルデコード手段と、前記パラメータビットストリームを空間パラメータにデコードするためのパラメータデコード手段と、前記空間パラメータに基づいて前記モノラルダウンミクス信号から左信号及び右信号を生成するためのパラメトリックステレオアップミクス手段と、を有するパラメトリックステレオデコーダにおいて、前記多重分離手段は更に、前記入力ビットストリームから予測残留ビットストリームを抽出するように構成され、前記モノラルデコード手段は更に、前記予測残留ビットストリームから差分信号についての予測残留信号をデコードするように構成され、前記パラメトリックステレオアップミクス手段は、請求項８に記載のパラメトリックステレオアップミクス装置であることを特徴とする、パラメトリックステレオデコーダ。
【請求項１１】
空間パラメータに基づいてモノラルダウンミクス信号から左信号及び右信号を生成するための方法において、
前記空間パラメータから導出される予測係数を用いてスケーリングされた前記モノラルダウンミクス信号に基づいて前記左信号と前記右信号との差を有する差分信号を予測するステップと、
前記モノラルダウンミクス信号と前記差分信号との合計及び差分に基づいて前記左信号及び前記右信号を導出するステップと、
を有することを特徴とする方法。
【請求項１２】
前記左信号及び前記右信号を導出するステップは、前記差分信号についての予測残留信号にも基づく、請求項１１に記載の空間パラメータに基づいてモノラルダウンミクス信号から左信号及び右信号を生成するための方法。
【請求項１３】
請求項９又は１０に記載のパラメトリックステレオデコーダを有する、オーディオ再生装置。
【請求項１４】
空間パラメータに基づいて左信号及び右信号からモノラルダウンミクス信号を生成するためのパラメトリックステレオダウンミクス装置において、前記パラメトリックステレオダウンミクス装置は、付加的な出力として差分信号についての予測残留信号を持ち、前記パラメトリックステレオダウンミクス装置は、前記左信号と前記右信号との間の差を有する差分信号及びモノラルダウンミクス信号を導出するための更なる算術手段と、前記空間パラメータから導出された所定の予測係数を用いてスケーリングされた前記モノラルダウンミクス信号と前記差分信号との間の差として前記差分信号についての予測残留信号を導出するための更なる予測手段と、を有することを特徴とする、パラメトリックステレオダウンミクス装置。
【請求項１５】
左信号及び右信号から空間パラメータを導出するための推定手段と、空間パラメータに基づいて前記左信号及び前記右信号からモノラルダウンミクス信号を生成するためのパラメトリックステレオダウンミクス手段と、前記モノラルダウンミクス信号をモノラルビットストリームにエンコードするためのモノラルエンコード手段と、空間パラメータをパラメータビットストリームにエンコードするためのパラメータエンコード手段と、前記モノラルビットストリームと前記パラメータビットストリームとを出力ビットストリームへと併合するための多重化手段と、を有するパラメトリックステレオエンコーダにおいて、前記パラメトリックステレオダウンミクス手段は、請求項１４に記載のパラメトリックステレオダウンミクス装置であり、前記モノラルエンコード手段は更に、差分信号についての予測残留信号を予測残留ビットストリームへとエンコードするように構成され、前記多重化手段は更に、前記予測ビットストリームを出力ストリームへ併合するように構成されたことを特徴とする、パラメトリックステレオエンコーダ。
【請求項１６】
空間パラメータに基づいて左信号及び右信号から差分信号についての予測残留信号を生成するための方法において、
前記左信号と前記右信号との間の差分信号を導出するステップと、
前記空間パラメータから導出された予測係数を用いてスケーリングされたモノラルダウンミクス信号と前記差分信号との間の差として前記差分信号についての予測残留信号を導出するステップと、
を有することを特徴とする方法。
【請求項１７】
請求項１１、１２又は１６に記載の方法を実行するためのコンピュータプログラム。